(57)【特許請求の範囲】
【請求項１】
相対向する側壁の外面にそれぞれ係止具を設けた電槽あるいは蓋と、ベルト部の両端に係合端部を設けた取手からなり、前記係止具と前記係合端部とをそれぞれ係着することで前記電槽あるいは前記蓋に前記取手を接続する蓄電池の取手接続構造であって、
前記取手のいずれかの箇所に、前記側壁の外方に向けて折り曲げられた屈曲部を設け、
前記係合端部に、前記側壁の外方に突出した膨頭部を前記屈曲部より上方に有する脚部と、前記ベルト部および前記ベルト部と隣り合った前記脚部のそれぞれの終端と接続しつつ幅方向に突出した終端部と、前記ベルト部と略平行となるように前記膨頭部と連接しつつ上方に突出した棒状部とを設け、
前記係止具に、前記側壁の外方へ平行に突出させかつ先端を相対向するように折り曲げられた一対の抜け止め片と、前記一対の抜け止め片の間で構成される溝を設け、
前記一対の抜け止め片と前記側壁で囲まれた空間部のいずれか一方に前記脚部を嵌入して前記膨頭部の下面を前記抜け止め片の上縁と対向させ、かつ前記終端部の上縁を前記一対の抜け止め片の下縁に当接させることで、前記取手が前記電槽あるいは前記蓋に固定されるようになっており、
前記棒状部の上端を幅方向の内方へ押圧し、かつ前記取手を下方に引くことで、前記溝から前記ベルト部が外に抜き得るようになっていることを特徴とする、蓄電池の取手接続構造。
【請求項２】
前記棒状部の上端を前記蓋の上面よりも上方に突出させたことを特徴とする、請求項１記載の蓄電池の取手接続構造。
【請求項３】
前記係合端部において前記ベルト部の両隣に一対の前記脚部を設け、前記空間部の双方に一対の前記脚部を嵌入させることを特徴とする、請求項１記載の蓄電池の取手接続構造。
【請求項４】
前記膨頭部の外側面を、先端ほど幅が細くなる円弧形状としたことを特徴とする、請求項１記載の蓄電池の取手接続構造。
【請求項５】
前記棒状部の上端と前記ベルト部とを連結する線状部を設けたことを特徴とする、請求項１記載の蓄電池の取手接続構造。
【請求項６】
正極と負極とセパレータとからなる極板群と、複数の前記極板群を収納するための複数のセル室を有する電槽と、電解液と、複数の前記極板群を直列および／あるいは並列に接続する接続部品と、正極端子および負極端子を備えかつ前記電槽の開口上面と接合される蓋と、前記電槽あるいは蓋を吊り下げるための取手とからなる取手付き鉛蓄電池であって、
前記電槽あるいは蓋の相対向する側壁の外面に、前記側壁の外方へ平行に突出させかつ先端を相対向するように折り曲げられた一対の抜け止め片と、前記一対の抜け止め片の間で構成される溝からなる係止具をそれぞれ設け、前記取手を、ベルト部の両端に係合端部を設けた形状とし、
前記取手のいずれかの箇所に、外方に向けて折り曲げられた屈曲部を設け、
前記係合端部に、前記側壁の外方に突出した膨頭部を前記屈曲部より上方に有する脚部と、前記ベルト部および前記ベルト部と隣り合った前記脚部のそれぞれの終端と接続しつつ幅方向に突出した終端部と、前記ベルト部と略平行となるように前記膨頭部と連接しつつ上方に突出した棒状部とを設け、
前記一対の抜け止め片と前記側壁で囲まれた空間部のいずれか一方に前記脚部を嵌入して前記膨頭部の下面を前記抜け止め片の上縁と対向させ、かつ前記終端部の上縁を前記一対の抜け止め片の下縁に当接させることで、前記取手を前記電槽あるいは前記蓋に固定し、
前記棒状部の上端を幅方向の内方へ押圧し、かつ前記取手を下方に引くことで、前記溝から前記ベルト部が外に抜き得るようにしたことを特徴とする、取手付き鉛蓄電池。
【請求項７】
前記棒状部の上端を前記蓋の上面よりも上方に突出させたことを特徴とする、請求項６記載の取手付き鉛蓄電池。
【請求項８】
前記係合端部において前記ベルト部の両隣に一対の前記脚部を設け、前記空間部の双方に一対の前記脚部を嵌入させたことを特徴とする、請求項６記載の取手付き鉛蓄電池。
【請求項９】
前記膨頭部の外側面を、先端ほど幅が細くなる円弧形状としたことを特徴とする、請求項６記載の取手付き鉛蓄電池。
【請求項１０】
前記棒状部の上端と前記ベルト部とを連結する線状部を設けたことを特徴とする、請求項６記載の取手付き鉛蓄電池。
【発明の詳細な説明】
【技術分野】
【０００１】
本発明は、取手付き鉛蓄電池およびこれの取手接続構造に関するものである。
【背景技術】
【０００２】
自動車のセルスタータや駆動源（補助電源の場合も含む）として需要の大きい鉛蓄電池は、主材料が鉛であるため比重が大きい。よって物流をはじめ販売にいたる流通段階、さらには機器や車両への搭載における荷扱いの利便性も、重要な機能のひとつになっている。この利便性への要望に応えるべく、持ち運びや交換作業に適した取手付き鉛蓄電池が開発されてきた。とりわけ日常的に多くの鉛蓄電池を取り扱う物流・流通業者やカーショップ、ホームセンターなどの量販店が取手付き鉛蓄電池を所望する場合が多いため、需要も堅調である。
【０００３】
補修用をはじめとした自動車用鉛蓄電池は、段ボール等の外装箱に梱包された状態で流通および販売される。すなわち外装箱に梱包された状態でも、外装箱から取り出すときでも、さらには取り出した後でも、取手による吊り下げができることが望ましい。この取手が流通・販売・作業時に外れて鉛蓄電池が落下すると、鉛蓄電池自体が破損するばかりでなく、人体に損傷を来たす虞があるので、取手の装着は頑強である必要がある。
【０００４】
一方、鉛蓄電池を車載した後で、メンテナンスとしての補水の際などに、取手が邪魔になるので、鉛蓄電池から取手が容易に取り外せることも重要である。
【０００５】
上述した２つの要望（頑強な装着と取り外しの容易性）を満たすべく、蓄電池から取手をワンタッチで着脱できる接続構造が開示されている（例えば、特許文献１）。但しこの構造では、上方から誤って取手に荷重を掛けた際に、取手の係合端部が電槽の係止具から外れやすくなるという課題がある。そこで特許文献２のように、側壁の外方へと折り曲がった屈曲部を取手に設け、ベルト部と膨頭部を有する脚部の終端と接続した幅広の終端部を係合端部に設け、側壁の外方へ突出させ先端を対向させた一対の抜け止め片と溝を係止具に設け、抜け止め片と側壁で囲まれた空間部に脚部を嵌入して膨頭部の下面を抜け止め片の上縁と対向させつつ終端部の上縁を一対の抜け止め片の下縁に当接させることで取手を電槽に固定し、膨頭部を幅方向の内方へ押圧しかつ取手を下方に引くことで、溝からベルト部を内外に抜き差しする構造が提案されている。
【先行技術文献】
【特許文献】
【０００６】
【特許文献１】特許第３６７８５４６号公報
【特許文献２】特開２０１１−１９２６３０号公報
【発明の概要】
【発明が解決しようとする課題】
【０００７】
しかしながら特許文献２の構成では、ボンネット等の狭い車内スペースの中で、効率よく取手を取り外すことができないことがわかってきた。本発明はこの課題を解決するものであって、狭い車内スペースの中で、効率よく取手を取り外すことができる、利便性の高い取手付き鉛蓄電池を供給することを目的とする。
【課題を解決するための手段】
【０００８】
前記の課題を解決するために、本発明の蓄電池の取手接続方法は、相対向する側壁の外面にそれぞれ係止具を設けた電槽あるいは蓋と、ベルト部の両端に係合端部を設けた取手からなり、係止具と係合端部とをそれぞれ係着することで電槽あるいは蓋に取手を接続するものであって、取手のいずれかの箇所に側壁の外方に向けて折り曲げられた屈曲部を設け、側壁の外方に突出した膨頭部を屈曲部より上方に有する脚部と、ベルト部およびベルト部と隣り合った脚部のそれぞれの終端と接続しつつ幅方向に突出した終端部と、ベルト部と略平行となるように膨頭部と連接しつつ上方に突出した棒状部とを係合端部に設け、側壁の外方へ平行に突出させかつ先端を相対向するように折り曲げられた一対の抜け止め片と、一対の抜け止め片の間で構成される溝を係止具に設け、一対の抜け止め片と側壁で囲まれた空間部のいずれか一方に脚部を嵌入して膨頭部の下面を抜け止め片の上縁と対向させ、かつ終端部の上縁を一対の抜け止め片の下縁に当接させることで、取手が電槽あるいは蓋に固定されるようになっており、棒状部の上端を幅方向の内方へ押圧しかつ取手を下方に引くことで、溝からベルト部が外に抜き得るようになっていることを特徴とする。
【０００９】
好ましい形態の蓄電池の取手接続方法では、棒状部の上端を蓋の上面よりも上方に突出させる。
【００１０】
好ましい形態の蓄電池の取手接続方法では、係合端部においてベルト部の両隣に一対の脚部を設け、空間部の双方に一対の脚部を嵌入させる。
【００１１】
別の好ましい形態の蓄電池の取手接続方法では、膨頭部の外側面を先端ほど幅が細くなる円弧形状とする。
【００１２】
別の好ましい形態の蓄電池の取手接続方法では、棒状部の上端とベルト部とを連結する線状部を設ける。
【００１３】
本発明の取手付き鉛蓄電池は、正極と負極とセパレータとからなる極板群と、複数の極板群を収納するための複数のセル室を有する電槽と、電解液と、複数の極板群を直列および／あるいは並列に接続する接続部品と、正極端子および負極端子を備えかつ電槽の開口上面と接合される蓋と、電槽あるいは蓋を吊り下げるための取手とからなり、電槽あるいは蓋の相対向する側壁の外面に、側壁の外方へ平行に突出させかつ先端を相対向するように折り曲げられた一対の抜け止め片と、一対の抜け止め片の間で構成される溝からなる係止具をそれぞれ設け、取手をベルト部の両端に係合端部を設けた形状とし、取手のいずれかの箇所に外方に向けて折り曲げられた屈曲部を設け、側壁の外方に突出した膨頭部を屈曲部より上方に有する脚部と、ベルト部およびこれと隣り合った脚部のそれぞれの終端と接続しつつ幅方向に突出した終端部と、ベルト部と略平行となるように膨頭部と連接しつつ上方に突出した棒状部とを係合端部に設け、一対の抜け止め片と側壁で囲まれた空間部のいずれか一方に脚部を嵌入して膨頭部の下面を抜け止め片の上縁と対向させつかつ終端部の上縁を一対の抜け止め片の下縁に当接させることで、取手を電槽あるいは蓋に固定し、棒状部の上端を幅方向の内方へ押圧し、かつ取手を下方に引くことで、溝からベルト部が外に抜き得るようにしたことを特徴とする。
【００１４】
好ましい形態の取手付き鉛蓄電池では、棒状部の上端を蓋の上面よりも上方に突出させる。
【００１５】
好ましい形態の取手付き鉛蓄電池では、係合端部においてベルト部の両隣に一対の脚部を設け、空間部の双方に一対の脚部を嵌入させる。
【００１６】
別の好ましい形態の取手付き鉛蓄電池では、膨頭部の外側面を、先端ほど幅が細くなる円弧形状とする。
【００１７】
別の好ましい形態の取手付き鉛蓄電池では、棒状部の上端とベルト部とを連結する線状部を設ける。
【発明の効果】
【００１８】
本発明によれば、狭い車内スペースの中で、効率よく取手を取り外すことができる、利便性の高い取手付き鉛蓄電池を供給できるようになる。
【図面の簡単な説明】
【００１９】
【図１】（ａ）本発明における取手がない構成の一例を示す図、（ｂ）係止具の一例を示す拡大図
【図２】（ａ）本発明における取手を接続する直前の構成の一例を示す図、（ｂ）取手を接続した後の構成の一例を示す図
【図３】（ａ）本発明における取手の一例を示す図、（ｂ）係合端部の一例を示す図
【図４】本発明における要部の一例を示す図
【図５】本発明における取手を接続した後の構成の他例を示す図
【発明を実施するための形態】
【００２０】
以下、図面を用いて、本発明の実施形態による鉛蓄電池の構成を説明する。なお、本発明の各実施形態は、２Ｖのセルが電池内部で直列接続された１２Ｖのエンジン始動用の液式鉛蓄電池に本発明を適用した例について記載するが、本発明の取手付き鉛蓄電池を構成するセルの数や配置は、例示であって、所望とする電圧、形状に応じて適宜決定すべきものであり、セル数やセルの接続形態あるいはセル配置、さらには制御弁式鉛蓄電池を選択した場合等のバリエーションも、本発明の構成を有する限りにおいて、本発明の範囲に含まれる。
【００２１】
図１〜３は、本発明の取手接続構造および取手付き鉛蓄電池の最良の形態の一例を示す図である。具体的には図１（ａ）は取手がない構成を、図１（ｂ）は係止具の拡大図を、図２（ａ）は取手を接続する直前の構成を、図２（ｂ）は取手を接続した後の構成を、図３（ａ）は取手を、図３（ｂ）は係合端部の拡大図を、それぞれ示している。なお取手付き鉛蓄電池の内部構成を詳述するために、図１（ａ）と図２（ａ）（ｂ）は一部を内視する形で表している。さらに図４に示す本発明の取手接続構造および取手付き鉛蓄電池の要部を示す図と併せることで、本発明の構成と効果について詳述する。
【００２２】
取手付き鉛蓄電池１は、正極２ａと負極２ｂとセパレータ２ｃとからなる極板群２と、複数の極板群２を収納するための複数のセル室（２枚の壁３ａの間で構成）を有する電槽３と、電解液（図示せず）と、複数の極板群２を直列および／あるいは並列に接続する接続部品４と、正極端子５ａと負極端子５ｂと液口栓５ｃとを備えかつ電槽３の開口上面と接合される蓋５と、電槽３を吊り下げるための取手６とからなる。
【００２３】
正極２ａは、鉛または鉛合金からなる格子と二酸化鉛とからなる。負極２ｂは、鉛または鉛合金からなる格子と海綿状鉛とからなる。セパレータ２ｃは、ガラス繊維や諸々の樹脂などからなる。これら複数の正極２ａと負極２ｂとを、セパレータ２ｃを介して交互に対峙させることで、極板群２が構成される。
【００２４】
電解液は、硫酸を主成分とする水溶液からなる。また接続部品４、正極端子５ａおよび負極端子５ｂは、鉛または鉛合金からなる。
【００２５】
液口栓５ｃはポリプロピレンなどの樹脂やエチレンプロピレンジエンゴムなどのゴム材料からなり、メンテナンスとしての補水（過充電に伴う加水分解に相応する水分の補給）の際に取り外すことができる。さらに電槽３および蓋５は、ポリプロピレンやアクリロニトリル−ブタジエン−スチレンなどの樹脂からなる。
【００２６】
電槽３の相対向する側壁３ｂの外面には、それぞれ係止具７を設けている。係止具７は、側壁３ｂの外方へ平行に突出させかつ先端を相対向するように折り曲げられた一対の抜け止め片７ａと、一対の抜け止め片７ａの間で構成される溝７ｂとからなる。
【００２７】
取手６は、ベルト部８の両端に係合端部９を設けた形状とし、取手６の一部には外方に向けて折り曲げられた屈曲部１０を設けている。係合端部９は、側壁３ｂの外方に突出した膨頭部９ｂを屈曲部１０より上方に有する一対の脚部９ａと、ベルト部８およびこれの両隣に配置した一対の脚部９ａのそれぞれの終端と接続しつつ幅方向に突出した終端部９ｄと、ベルト部８と略平行となるように膨頭部９ｂと連接しつつ上方に突出した棒状部９ｅとからなる。
【００２８】
図１〜３の構成において、取手付き鉛蓄電池１を載置した後、膨頭部９ｂを幅方向の内方へ押圧しつつ取手を下方に引けば、後々の補水（液口栓５ｃを開けて行う）を考えて取手６を外すことができる。しかし往々にして、取手付き鉛蓄電池１はボンネット等の狭い車内スペースの中に載置されるので、指先で膨頭部９ｂを抓んで幅方向の内方へ押圧することは、非常に困難である。
【００２９】
そこでベルト部８と略平行となるように膨頭部９ｂと連接させた棒状部９ｅを設けつつ、この棒状部９ｅを上方に突出させれば、図４に示すように、作業者が棒状部９ｅの上端を抓んで幅方向の内方（矢印方向）へ押圧することで膨頭部９ｂもまた幅方向の内方へ押圧されることになるので、取手６を下方に引けば、溝７ｂからベルト部８を容易に外に抜けるようになる。よって狭いスペースの中でも、取手付き鉛蓄電池１から無理なく取手６を外すことができるようになる。
【００３０】
なお棒状部９ｅの上端を蓋５の上面よりも上方に突出させれば、作業箇所が蓋５の上面になって、ベルト部８の抜き差しがさらに容易になるので好ましい。
【００３１】
ここで抜け止め片７ａと側壁３ｂで囲まれた空間部に脚部９ａを嵌入し、膨頭部９ｂの下面９ｃをそれぞれ抜け止め片７ａの上縁と対向させつかつ終端部９ｄの上縁を一対の抜け止め片７ａの下縁に当接させることで、取手６が電槽３蓋に固定できる。なお膨頭部９ｂが屈曲部１０より上方に設けられることで、脚部９ａの嵌入が円滑化する。
【００３２】
取手６は通常、樹脂製である。特許文献１のように、抜け止め片と側壁で囲まれた空間部に係合片を差し込みつつ係合端部の一部を係止具の一部に当接させるだけでは、冬場などに上方から誤って取手に荷重を掛けた場合、樹脂の硬化によりベルト部が撓む前に係止具から係合端部が抜けやすくなる。そこで図１のように、抜け止め片７ａと側壁３ｂで囲まれた空間部に脚部９ａを嵌入し、膨頭部９ｂの下面９ｃを抜け止め片７ａの上縁と対向させることで、上方から誤って取手６に掛けた荷重は、膨頭部９ｂの下面９ｃが抜け止め片７ａの上縁を押さえ付ける荷重に変換され、硬化した樹脂（ベルト部８）が十分に撓むことができるので、係合端部９が係止具７から外れなくなる。このような効果を際立たせるためには、膨頭部９ｂの外側面が脚部９ａから幅方向に突出するようにして、抜け止め片７ａの上縁と対向する膨頭部９ｂの下面９ｃの面積を増やすことが好ましい。
【００３３】
なお図１〜３とは異なりそれぞれの係合端部９に脚部９ａを一本ずつ設けた場合に上記の効果を発現させるためには、蓋５の上面における重心に対して点対称となるように脚部９ａを設置し、取手６を接続することが望ましい。しかしながらベルト部８を挟むように脚部９ａを二本設け、抜け止め片７ａと側壁３ｂで囲まれた空間部の双方に一対の脚部９ａを嵌入させて膨頭部９ｂの下面９ｃを双方とも抜け止め片７ａの上縁と対向させる図１〜３の構成の方が、上方のみならず斜方からの荷重にも耐え得るようになるので、より好ましい。
【００３４】
なお脚部９ａの厚みは、抜け止め片７ａと側壁３ｂで囲まれた空間部の高さより小さくする必要がある。脚部９ａの厚みが空間部の高さ以上の場合、脚部９ａの嵌入が困難になり、膨頭部９ｂを所定位置までガイドできなくなる。また膨頭部９ｂの厚みは、空間部の高さより大きくする必要がある。膨頭部９ｂの厚みが空間部の高さ以下の場合、膨頭部９ｂの下面９ｃが抜け止め片７ａの上縁と対向できなくなり、上方からの荷重によって取手６が外れやすくなる。
【００３５】
また図１〜３のように、膨頭部９ｂの外側面を先端ほど幅が細くなる円弧形状とするのが好ましい。脚部９ａを抜け止め片７ａと側壁３ｂで囲まれた空間部に嵌入する過程は、膨頭部９ｂの先端が抜け止め片７ａの内側面下端と接する第１段階と、膨頭部９ｂの外側面が抜け止め片７ａの内側面と擦れ合いながら嵌入が進行する第２段階とに分けられる。膨頭部９ｂの外側面を先端ほど幅が細くなる円弧形状とすれば、膨頭部を幅方向の内方へ押圧しなくても、第１段階から第２段階へスムーズに移行できる。
【００３６】
なお図１〜３では電槽３の側壁３ｂの外面に係止具７を設けた形態を示したが、図５のように蓋５の側壁５ｄに係止具７を設けた形態であっても、本発明の効果が得られることは言うまでもない。
【００３７】
図１〜５に示すように、棒状部９ｅの上端とベルト部８とを連結する線状部９ｆを設けることで、次の２つの利点を付与できる。第１の利点は、棒状部９ｅの上端に外部応力が掛かっても、線状部９ｆが支えになって、棒状部９ｅの形状を保持する（上述した機能の損失を防ぐ）ことである。第２の利点は、線状部９ｆがバネの役目を果たすことで、一定の応力を加えないと棒状部９ｅの上端を幅方向の内方へ押圧できなくなる（偶発的な外部応力が幅方向の内方に掛かっても棒状部９ｅが幅方向の外方へ反発するので膨頭部９ｂが外れない）ことである。この第１および第２の利点を確実に現出させるためには、線状部９ｆとベルト部８との連結箇所を、線状部９ｆと棒状部９ｅとの連結箇所よりも上方とすることが望ましい。
【産業上の利用可能性】
【００３８】
本発明は、制御弁式鉛蓄電池を含む各種用途・形式の鉛蓄電池に利用できるが、蓋の上面に設けた液口栓から補水する必要のある液式鉛蓄電池において、特に有用であるといえる。
【符号の説明】
【００３９】
１    取手付き鉛蓄電池
２    極板群
２ａ  正極
２ｂ  負極
２ｃ  セパレータ
３    電槽
３ａ  壁
３ｂ  側壁
４    接続部品
５    蓋
５ａ  正極端子
５ｂ  負極端子
５ｃ  液口栓
５ｄ  側壁
６    取手
７    係止具
７ａ  抜け止め片
７ｂ  溝
７ｃ  空間部
８    ベルト部
９    係合端部
９ａ  脚部
９ｂ  膨頭部
９ｃ  下面
９ｄ  終端部
９ｅ  棒状部
９ｆ  線状部
１０  屈曲部
【図１】
0006350056.tif 000002
【図２】
0006350056.tif 000003
【図３】
0006350056.tif 000004
【図４】
0006350056.tif 000005
【図５】
0006350056.tif 000006